(57)【特許請求の範囲】
【請求項１】
原稿のサイズを検出する原稿サイズ検出手段と、
原稿画像を画像信号として入力し、入力された画像信号を記憶する画像記憶手段と、
前記画像記憶手段に記憶された画像信号を読み出す画像読み出し手段と、
前記画像記憶手段に記憶された画像信号を読み出すときに前記画像信号を回転させる画像回転手段と、
コンタクトガラス上にセットされた原稿の向きを検出する方向検出手段と、
読み取り画像を変倍するための変倍率を設定する変倍率設定手段と、
前記変倍率設定手段により設定された変倍率により前記画像信号を変倍する画像変倍手段と、
前記画像記憶手段に記憶された画像信号を読み出して、書き込む際に、前記画像信号のセンター部分をマスク処理により消去する画像消去手段と、
前記画像消去手段が消去する画像の幅を設定する消去幅設定手段と、
前記画像回転手段は、前記原稿サイズ検出手段により検出した原稿サイズと、前記変倍率設定手段により設定した変倍率から計算した出力画像のサイズが、画像形成装置が有する同じサイズの用紙の向きと同じになるように、画像信号を回転させ、
前記画像消去手段は、前記方向検出手段により前記原稿の長手方向が用紙搬送方向と平行になる場合は副走査方向に、用紙搬送方向に垂直となる場合は主走査方向に、それぞれ画像信号を前記設定した消去幅に応じてマスク処理をすることで、一度読み取った原稿を再度読み取ることなく、前記原稿の長手方向に対してセンター部分の画像を消去して用紙に出力することを特徴とする画像形成装置。
【請求項２】
前記画像消去手段は、前記コンタクトガラス上の前記原稿画像の向きに関係なく、前記原稿の長手方向に対してセンター部分の画像を消去することを特徴とする請求項１記載の画像形成装置。
【請求項３】
原稿のサイズを検出する原稿サイズ検出手段と、
原稿画像を画像信号として入力し、入力された画像信号を記憶する画像記憶手段と、
前記画像記憶手段に記憶された画像信号を読み出す画像読み出し手段と、
前記画像記憶手段に記憶された画像信号を読み出すときに前記画像信号を回転させる画像回転手段と、
コンタクトガラス上にセットされた原稿の向きを検出する方向検出手段と、
読み取り画像を変倍するための変倍率を設定する変倍率設定手段と、
前記変倍率設定手段により設定された変倍率により前記画像信号を変倍する画像変倍手段と、
前記画像記憶手段に記憶された画像信号のセンター部分の画像をマスク処理により消去する画像消去手段と、
前記画像消去手段が消去する画像の幅を設定する消去幅設定手段と、
前記画像回転手段は、前記原稿サイズ検出手段により検出した原稿サイズと、前記変倍率設定手段により設定した変倍率から計算した出力画像のサイズが、画像形成装置が有する同じサイズの用紙の向きと同じになるように、画像信号を回転させ、
前記画像消去手段は、前記方向検出手段により前記原稿の長手方向が用紙搬送方向と垂直になる場合は副走査方向に、用紙搬送方向に平行となる場合は主走査方向に、それぞれ画像信号を前記設定した消去幅に応じてマスク処理をすることで、一度読み取った原稿を再度読み取ることなく、前記原稿の長手方向に関係なくセンター部分の画像を消去して用紙に出力することを特徴とする画像形成装置。
【請求項４】
前記画像消去手段の消去方向を指定する消去方向設定手段をさらに有することを特徴とする請求項１又は２記載の画像形成装置。
【請求項５】
前記消去方向設定手段は、指定された原稿画像の方向を基に、前記原稿画像のセンター部分の画像を消去することを特徴とする請求項３記載の画像形成装置。
【請求項６】
原稿のサイズを検出する原稿サイズ検出工程と、
原稿画像を画像信号として入力し、入力された画像信号を記憶する画像記憶工程と、
前記画像記憶工程に記憶された画像信号を読み出す画像読み出し工程と、
前記画像記憶工程に記憶された画像信号を読み出すときに前記画像信号を回転させる画像回転工程と、
コンタクトガラス上にセットされた原稿の向きを検出する方向検出工程と、
読み取り画像を変倍するための変倍率を設定する変倍率設定工程と、
前記変倍率設定工程により設定された変倍率により前記画像信号を変倍する画像変倍工程と、
前記画像記憶工程に記憶された画像信号のセンター部分の画像をマスク処理により消去する画像消去工程と、
前記画像消去工程が消去する画像の幅を設定する消去幅設定工程と、
前記画像回転工程は、前記原稿サイズ検出工程により検出した原稿サイズと、前記変倍率設定工程により設定した変倍率から計算した出力画像のサイズが、画像形成装置が有する同じサイズの用紙の向きと同じになるように、画像信号を回転させ、
前記画像消去工程は、前記方向検出工程により前記原稿の長手方向が用紙搬送方向と平行になる場合は副走査方向に、用紙搬送方向に垂直となる場合は主走査方向に、それぞれ画像信号を前記設定した消去幅に応じてマスク処理をすることで、一度読み取った原稿を再度読み取ることなく、前記原稿の長手方向に対してセンター部分の画像を消去して用紙に出力することを特徴とする画像形成方法。
【発明の詳細な説明】
【０００１】
【発明の属する技術分野】
本発明は、センター消去機能、若しくは画像消去機能を有する画像形成装置及び画像形成方法に関する。
【０００２】
【従来の技術】
センター消去の機能とは、ブック原稿を見開きでコピーする場合、ブック原稿は厚物のため、センター部分の画像が陰となり黒くなるのを取り除く機能である。センター消去の機能は、アナログ機の時代から存在し、アナログ機は、原稿スキャン方向のセンター部分を、帯電されたドラム上にＬＥＤを点灯して電荷を取り除くことにより、トナーの付着を防止してセンター消去を実現していた。つまり、アナログ機では用紙搬送方向にのみ消去可能であった。
【０００３】
一方、デジタル機は、原稿画像の読み取り時、または画像書き込み時に画像処理により消去機能を実現することができ、用紙搬送方向に関わらず、縦横どちらの方向にもセンター消去が可能となった。
【０００４】
従来、センター消去の手法として、本を見開きでコピーする場合、見開きにした状態でセットした原稿の方向を指定することにより、センター消去の位置を指定していた。そして、センター消去の幅を指定することにより、センター消去を実現していた。
【０００５】
現在の機械は、原稿サイズの検知により、原稿サイズおよび方向を検知することができる。しかしながら、その用途に関して充分な自動化がなされているわけではなく、機能が充実している代わりに、操作性や生産性を損なっている。
【０００６】
そのため、本原稿を見開きにしてセンター消去する場合、大半の場合が長手方向に対してセンター消去するために原稿の方向をセットする必要があったり、原稿をセットする方向が決められていたりしており、操作性、生産性が低下している。
【０００７】
【発明が解決しようとする課題】
現在のデジタル複合機は、センター消去する場合、コンタクトガラス上にセットする方向が決まっていたり、センター消去する際の原稿方向を指定する必要がある。通常機（Ａ３機）でセンター消去する場合は大半がＢ５又はＡ４サイズのブック物のため、見開きにした場合の原稿サイズがＢ４又はＡ３となる。そして、副走査方向のセンター部分を消去することが大半である。
【０００８】
近年、Ａ２サイズ機も普及しつつあり、Ａ２機となると、先ほどのブック物原稿を縦にもセットすることが可能となる。従来機と同様に副走査方向のみセンター消去可能とすると、ユーザに原稿セット方向に関するメッセージなどが必要となる。
【０００９】
本発明は、上記事情に鑑みなされたものであり、コンタクトガラス上にセットされた原稿の長手方向に対してもセンター消去を可能とすることにより、ユーザの操作性を向上する画像形成装置及び画像形成方法を提供することを目的とする。
【００１０】
【課題を解決するための手段】
かかる目的を達成するために、請求項１記載の発明は、原稿のサイズを検出する原稿サイズ検出手段と、原稿画像を画像信号として入力し、入力された画像信号を記憶する画像記憶手段と、前記画像記憶手段に記憶された画像信号を読み出す画像読み出し手段と、前記画像記憶手段に記憶された画像信号を読み出すときに前記画像信号を回転させる画像回転手段と、コンタクトガラス上にセットされた原稿の向きを検出する方向検出手段と、読み取り画像を変倍するための変倍率を設定する変倍率設定手段と、前記変倍率設定手段により設定された変倍率により前記画像信号を変倍する画像変倍手段と、前記画像記憶手段に記憶された画像信号のセンター部分の画像をマスク処理により消去する画像消去手段と、前記画像消去手段が消去する画像の幅を設定する消去幅設定手段と、前記画像回転手段は、前記原稿サイズ検出手段により検出した原稿サイズと、前記変倍率設定手段により設定した変倍率から計算した出力画像のサイズが、画像形成装置が有する同じサイズの用紙の向きと同じになるように、画像信号を回転させ、前記画像消去手段は、前記方向検出手段により前記原稿の長手方向が用紙搬送方向と平行になる場合は副走査方向に、用紙搬送方向に垂直となる場合は主走査方向に、それぞれ画像信号を前記設定した消去幅に応じてマスク処理をすることで、一度読み取った原稿を再度読み取ることなく、前記原稿の長手方向に対してセンター部分の画像を消去して用紙に出力することを特徴としている。
【００１１】
請求項２記載の発明は、請求項１記載の発明において、前記画像消去手段は、前記コンタクトガラス上の前記原稿画像の向きに関係なく、前記原稿の長手方向に対してセンター部分の画像を消去することを特徴としている。
【００１２】
請求項３記載の発明は、原稿のサイズを検出する原稿サイズ検出手段と、原稿画像を画像信号として入力し、入力された画像信号を記憶する画像記憶手段と、前記画像記憶手段に記憶された画像信号を読み出す画像読み出し手段と、前記画像記憶手段に記憶された画像信号を読み出すときに前記画像信号を回転させる画像回転手段と、コンタクトガラス上にセットされた原稿の向きを検出する方向検出手段と、読み取り画像を変倍するための変倍率を設定する変倍率設定手段と、前記変倍率設定手段により設定された変倍率により前記画像信号を変倍する画像変倍手段と、前記画像記憶手段に記憶された画像信号のセンター部分の画像をマスク処理により消去する画像消去手段と、前記画像消去手段が消去する画像の幅を設定する消去幅設定手段と、前記画像回転手段は、前記原稿サイズ検出手段により検出した原稿サイズと、前記変倍率設定手段により設定した変倍率から計算した出力画像のサイズが、画像形成装置が有する同じサイズの用紙の向きと同じになるように、画像信号を回転させ、前記画像消去手段は、前記方向検出手段により前記原稿の長手方向が用紙搬送方向と垂直になる場合は副走査方向に、用紙搬送方向に平行となる場合は主走査方向に、それぞれ画像信号を前記設定した消去幅に応じてマスク処理をすることで、一度読み取った原稿を再度読み取ることなく、前記原稿の長手方向に関係なくセンター部分の画像を消去して用紙に出力することを特徴としている。
【００１３】
請求項４記載の発明は、請求項１又は２記載の発明において、前記画像消去手段の消去方向を指定する消去方向設定手段をさらに有することを特徴としている。請求項５記載の発明は、請求項３記載の発明において、前記消去方向設定手段は、指定された原稿画像の方向を基に、前記原稿画像のセンター部分の画像を消去することを特徴としている。
【００１４】
請求項６記載の発明は、原稿のサイズを検出する原稿サイズ検出工程と、原稿画像を画像信号として入力し、入力された画像信号を記憶する画像記憶工程と、前記画像記憶工程に記憶された画像信号を読み出す画像読み出し工程と、前記画像記憶工程に記憶された画像信号を読み出すときに前記画像信号を回転させる画像回転工程と、コンタクトガラス上にセットされた原稿の向きを検出する方向検出工程と、読み取り画像を変倍するための変倍率を設定する変倍率設定工程と、前記変倍率設定工程により設定された変倍率により前記画像信号を変倍する画像変倍工程と、前記画像記憶工程に記憶された画像信号のセンター部分の画像をマスク処理により消去する画像消去工程と、前記画像消去工程が消去する画像の幅を設定する消去幅設定工程と、前記画像回転工程は、前記原稿サイズ検出工程により検出した原稿サイズと、前記変倍率設定工程により設定した変倍率から計算した出力画像のサイズが、画像形成装置が有する同じサイズの用紙の向きと同じになるように、画像信号を回転させ、前記画像消去工程は、前記方向検出工程により前記原稿の長手方向が用紙搬送方向と平行になる場合は副走査方向に、用紙搬送方向に垂直となる場合は主走査方向に、それぞれ画像信号を前記設定した消去幅に応じてマスク処理をすることで、一度読み取った原稿を再度読み取ることなく、前記原稿の長手方向に対してセンター部分の画像を消去して用紙に出力することを特徴としている。
【００１５】
【発明の実施の形態】
以下、本発明の実施の形態を添付図面を参照しながら詳細に説明する。
【００１６】
図１は、本発明の実施の形態における画像形成装置を示す概略図である。以下、図１を参照しながら画像形成動作の概略を説明する。自動原稿送り装置（以後ＡＤＦ）１−１の原稿台１−２に、原稿の画像面を上にして置かれた原稿束は、操作部上のスタートキー２５が押下されると、一番下の原稿から給送ローラ１−３、給送ベルト１−４によって、コンタクトガラス１−６上の所定の位置に給送される。読み取りユニット１−５０がコンタクトガラス１−６上の原稿の画像データを読み取った後、読み取りが終了した原稿は、給送ベルト１−４および排送ローラ１−５によって排出される。さらに、原稿セット検知１−７が原稿台１−２に次の原稿があることを検知した場合、当該原稿は、前原稿と同様にコンタクトガラス１−６上に給送される。給送ローラ１−３、給送ベルト１−４、排送ローラ１−５は、搬送モータ１−２６によって駆動される。
【００１７】
第１トレイ１−８、第２トレイ１−９、第３トレイ１−１０に積載された転写紙は、各々第１給紙装置１−１１、第２給紙装置１−１２、第３給紙装置１−１３によって給紙され、縦搬送ユニット１−１４によって感光体１−１５に当接する位置まで搬送される。読み取りユニット１−５０にて読み込まれた画像データは、書き込みユニット１−５７からのレーザによって感光体１−１５に書き込まれ、現像ユニット１−２７を通過することによってトナー像が形成される。そして、転写紙は、感光体１−１５の回転と等速で搬送ベルト１−１６によって搬送されながら、感光体１−１５上のトナー像が転写される。その後、定着ユニット１−１７にて画像を定着させ、排紙ユニット１−１８によって機外に排出される。
【００１８】
転写紙の両面に画像を作像する場合は、各給紙トレイ１−８〜１０から給紙され作像された転写紙を排紙トレイ１−１９側に導かないで、経路切り替えのための分岐爪１−１１２を上側にセットすることで、一旦両面給紙ユニット１−１１１にストックする。その後、両面給紙ユニット１−１１１にストックされた転写紙は、再び感光体１−１５に作像されたトナー画像を転写するために、両面給紙ユニット１−１１１から再給紙される。
【００１９】
経路切り替えのための分岐爪１−１１２を下側にセットし、後処理装置１−１１４を使用するモードがセットされている場合は経路切り替えのための分岐爪１−１１３を上側にセットすることで、後処理装置１−１１４に転写紙を排紙することができる。後処理装置１−１１４を使用しないモードの場合は上記切り替えの分岐爪１−１１３を下側にセットすることで排紙トレイ１−１９に導く。このように、転写紙の両面に画像を作成する場合に両面給紙ユニット１−１１１が使用される。
【００２０】
図２は、本発明の実施の形態における画像形成装置の操作部を示した概略図である。操作部には、液晶タッチパネル２１、テンキー２２、クリア／ストップキー２６、プリントキー２５、およびモードクリアキー２４がある。
【００２１】
図３は、本発明の実施の形態における液晶タッチパネル２１を示した概略図である。図３に示すように、各モード機能キー３１〜３１２、部数３１５、３１６、倍率３１７、および画像形成装置の状態３１４を示すメッセージなどが表示される。また同時に、各画像形成モードを設定、解除する場合に操作するモードキーが配置されている。本発明の特徴となる技術に直接関連するセンター消去キー３１０も配置されている。
【００２２】
図４は、図３においてセンター消去キー３１０を押下した場合の子画面ＬＣＤタッチパネルを示した図である。センター消去キー３１０を押下して図４に示す子画面を開いた場合は、常に原稿長手方向に対してセンター消去を実行するように原稿長手方向にデフォルト設定されている。特殊原稿の際には方向を指定できるように長手方向指定キー４１１、短手方向指定キー４１２、センター消去幅をテンキーにて指定して確定するキー４１３、およびどの部分をセンター消去するかを表示する表示部４１４が表示される。
【００２３】
図５は、本発明の実施の形態における画像形成装置の内部構成を示したブロック図である。メインコントローラ（ＭＣＵ）５１は、画像形成装置全体を制御する。ＭＣＵ５１には、操作部５３、画像処理ユニット（ＩＰＵ）５２、原稿自動送り装置（ＡＤＦ）５７、後処理装置（ソータ）５８等の分散制御装置が接続されている。各分散制御装置とＭＣＵ５１とは、必要に応じて機械の状態、動作司令のやりとりを行っている。また、紙搬送等に必要なメインモータ、各種クラッチも、Ｉ／Ｏボード５６に接続されており、ＭＣＵ５１によって、制御されている。
【００２４】
操作部５３は、液晶表示部５４に対するオペレータへの表示、オペレータからの機能設定入力５５の制御を行う。ＩＰＵ５２は、スキャナの制御、原稿画像を画像メモリに書き込む制御、画像メモリからの作像を行う制御等を行う。
【００２５】
図１を用いて、本発明における画像読み取り手段、および画像を記録面上に潜像形成するまでの動作を説明する。潜像とは感光体面上に画像を光情報に変換して照射することにより生じる電位分布である。
【００２６】
図１において、読み取りユニット１−５０は、原稿を載置するコンタクトガラス１−６と光学走査系で構成されている。光学走査系は、露光ランプ１−５１、第１ミラー１−５２、レンズ１−５３、ＣＣＤイメージセンサ１−５４等々で構成されている。露光ランプ１−５１および第１ミラー１−５２は、図示しない第１キャリッジ上に固定されている。第２ミラー１−５５および第３ミラー１−５６も、図示しない第１キャリッジ上に固定されている。
【００２７】
原稿画像を読み取るときには、光路長が変わらないように、第１キャリッジと第２キャリッジとが２対１の相対速度で機械的に走査される。この光学走査系は、図示しないスキャナ駆動モータにて駆動される。原稿画像は、ＣＣＤイメージセンサ１−５４によって読み取られ、電気信号に変換されて処理される。
【００２８】
書き込みユニット１−５７は、レーザ出力ユニット１−５８、結像レンズ１−５９、ミラー１−６０で構成されている。レーザ出力ユニット１−５８の内部には、レーザ光源であるレーザダイオードおよびモータによって高速で定速回転する回転多面鏡（ポリゴンミラー）が備わっている。
【００２９】
レーザ出力ユニット１−５８により照射されるレーザ光は、定速回転するポリゴンミラーで偏光され、結像レンズ１−５９を通り、ミラー１−６０で折り返され、感光体面上に集光結像する。偏光されたレーザ光は、感光体１−１５が回転する方向と直行する方向（主走査方向）に露光走査され、後述する画像処理部のセレクタ７Ｂより出力された画像信号のライン単位の記録を行う。感光体１−１５の回転速度と記録密度に対応した所定の周期で主走査を繰り返すことによって、感光体面上に画像（静電潜像）が形成される。
【００３０】
上述したように、書き込みユニット１−５７から出力されるレーザ光が、画像作像系の感光体１−１５に照射される。図示しないが感光体１−１５の一端近傍のレーザビームを照射される位置に、主走査同期信号を発生するビームセンサが配置されている。この主走査同期信号を基に主走査方向の画像記録開始タイミングの制御、および後述する画像信号の入出力を行うための制御信号の生成を行う。
【００３１】
図６は、本実施の形態における画像処理部ＩＰＵ５２の概略構成を示すブロック図である。露光ランプ１−５１から照射された光は、原稿面を照射し、原稿面からの反射光は、ＣＣＤイメージセンサ６１にて結像レンズ（図示せず）により結像、受光され、光電変換され、Ａ／Ｄコンバータ６２にてデジタル信号に変換される。デジタル信号に変換された画像信号は、シェーディング補正６３がなされた後、画像処理部６４にてフィルタ補正、変倍色データ膨張、γ補正等がなされる。
【００３２】
画像処理部６５では、画像信号の送り先を、画像メモリコントローラ（ＭＳＵ）６６または書き込みユニット６１０への切り替えが行われる。画像メモリコントローラ（ＭＳＵ）６６と画像処理部６５とは、双方向に画像信号を入出力可能な構成となっている。図６には特に明示していないが、画像処理部（ＩＰＵ）には、読み取り部１−５０から入力される画像データ以外にも外部から供給される画像データ（例えばパーソナルコンピュータ等のデータ処理装置から出力されるデータ）も処理できるよう、複数データの入出力選択を行う機能を有している。
【００３３】
画像メモリコントローラ６６等への設定や、読み取り部１−５０、書き込み部１−５７の制御を行うＣＰＵ６７、およびそのプログラムやデータを格納するＲＯＭ６９、ＲＡＭ６８を備えている。さらに、ＣＰＵ６７は、画像メモリコントローラ６６を介して、後述する画像メモリ８３のデータの書き込み、読み出しも行うことができる。
【００３４】
図７は、図６における画像処理部６５およびＭＳＵ６６の内部構成の概略を示したブロック図である。画像処理部６４より画像処理された画像データを読み込むときに、領域をマスクするスキャナマスク７１を介してモードに応じて色変換が必要な場合は、色変換処理７２、色消去処理７３、画像反転処理７４、ページや、日付け、特殊文字等を印字合成７５して画像データを無条件に画像メモリコントローラ７Ａにて保存する。
【００３５】
印字コア７６は、ページ印字のページを作成したり、スタンプ文字等、文字コードを取り出し印字データを作成し、印字イメージデータを発生する装置である。ＲＯＭ７７、ＲＡＭ７８は、印字コア部７６とデータのやりとりをする。また、画像データ選択７Ｂは、上記７１〜７５の処理をした画像信号をスルーで画質コア７Ｃに出力するか、画像メモリコントローラ７Ａからの画像データを画質コア７Ｃに出力するか、画像処理された画像データに対してＭＳＵ合成７９した画像データを画質コア７Ｃに出力するか、を選択する。
【００３６】
図８は、図７における画像メモリコントローラ７Ａと、画像メモリ８３の詳細を示したブロック図である。画像メモリコントローラ７Ａは、１次圧縮８１／伸長８２、１次画像データの保存メモリである画像メモリＤＲＡＭ８３、（バンクＡ８４、バンクＢ８５）、２次圧縮／伸長８６、大容量メモリであるＨＤＤ（ハードディスクドライブ）８７、伸長された登録画像の画像倍率を変更する変倍８８のブロックを有している。各ブロックへの制御データの設定は、ＣＰＵ６７より行われる。
【００３７】
画像メモリ７Ａは、１次および２次記憶装置８３、８７からなる。１次記憶装置８３は、メモリの指定した領域へのデータ書き込み、または画像出力時のメモリの指定した領域からのデータ読み出しが、画像データの入力／出力時に要求されるデータ転送速度に略同期して行えるように、例えばＤＲＡＭ等の高速アクセスが可能なメモリを使用する。また、１次記憶装置８３は、処理を行う画像データの大きさにより複数のエリアに分割して（この例ではバンクＡ、Ｂ）画像データの入出力を同時に実行可能な構成（メモリコントローラとのインターフェース部）を有している。
【００３８】
２次記憶装置８７は、入力された画像の合成、ソーティングを行うためにデータを保存しておく大容量のメモリである。２次記憶装置８７においても、１次記憶装置８３と同様に、画像入出力時に要求されるデータ転送速度に略同期してデータの書き込み／読み出しが可能である。
【００３９】
次に、画像メモリコントローラ７Ａの動作例を説明する。まず、画像入力（画像メモリへの保存）について説明する。図８において、前段画像処理部により画像加工された画像データ８Ｖ１は、無条件にＭＳＵ合成７９に供給され、既に画像メモリに保存されているデータとの合成を行う。ＭＳＵ合成７９によって処理された画像データは、読み取り時に画像回転の指示がある場合は画像データを回転８０して保存するために、９０度、１８０度、または２７０度と回転される。回転された画像データ８Ｖ２は、１次圧縮８１／伸長８２により圧縮された後、１次記憶装置（ＤＲＡＭ）８３に書き込まれると同時に、２次圧縮／伸長８６で更に圧縮を行った後にＨＤＤ８７に保存される。
【００４０】
次に、画像出力（画像メモリからの読み出し）について説明する。図９において、画像出力時は、１次記憶装置８３に記憶されている画像データの読み出しを行う。出力対象となる画像が１次記憶装置８３に格納されている場合には、１次圧縮８１／伸長８２で１次記憶装置８３の画像データの伸長を行い、伸長後のデータ、若しくは伸長後のデータと入力データとの画像合成を行った後のデータを出力する。この際、変倍８８により伸長後の画像の倍率を変更可能としている。変倍した後の画像データに対して、書き込み時に画像回転８０の指示がある場合は、画像データを９０度、１８０度、２７０度と画像回転する。
【００４１】
ＭＳＵ合成７９は、１次記憶装置８３の画像データと、入力データ８Ｖ１との合成（画像データの位相調整機能を有する）、合成後の画像データの出力先の選択（画像出力、１次記憶装置８３へのライトバック、両方の出力先への同時出力も可能）等の処理を行う。出力対象となる画像が１次記憶装置８３に格納されていない場合には、ＨＤＤ８７に格納されている出力対象画像データを２次圧縮／伸長８６で伸長を行い、伸長後のデータを１次記憶装置８３に書き込んでから、以下、上述の画像出力動作を行う。
【００４２】
また、上述した印字モードにおいて、任意のスタンプ用イメージは、ユーザが必要に応じて登録できるように構成されている。スタンプイメージ登録モードになると、スキャナからの画像を上述のＨＤＤ８７に登録しておき、後に、ユーザが必要なスタンプイメージを選択するとこのスタンプイメージデータがＨＤＤ８７から読み出されて、ＭＳＵ合成７９に送られて原稿画像に合成される。
【００４３】
本来、原稿画像１枚に対して画像形成枚数が１枚の場合は、あえて画像データを画像メモリに記憶する必要はないが、要求する画像形成枚数が複数部の場合は、毎回スキャンする必要がないこと、または転写紙ジャム等が発生した場合でも、再度原稿を読み込ませる必要がないことを考慮して、スキャンして読み込んだ画像は無条件に画像メモリ、およびＨＤＤに保存するようになっている。
【００４４】
次に、図１０、図１１を参照しながら本発明の実施例を説明する。図１０において、１０１は、ブック原稿を見開きにした場合の原稿画像であり、センター部分に黒い陰１０２が存在する。この陰部分を消去するためにセンター消去機能を使用する。
【００４５】
ブック物原稿を見開きにした状態ではＬ２＞Ｌ１となるブック原稿が大半である。このようなブック原稿をセンター消去により陰部分を消去する際には、見開きにした状態で原稿を１０１のようにコンタクトガラス上にセットするか、１０５のようにセットするかは、ユーザにより異なる。
【００４６】
例えば、Ａ４サイズの本を見開きにした場合は見開き状態ではＡ３サイズとなり、横にセットした場合１０１と縦にセットした場合１０５とが存在する。どちらも、原稿長手方向に対してセンター消去することにかわりはなく、セットされている用紙もＡ３縦とＡ３横が存在する場合は、１０１の原稿セット方向に対して画像回転することなく、センター消去するだけで、１０３の画像を得ることができる。
【００４７】
また、Ａ３縦サイズの用紙のみ存在する場合は、１０４のように画像を左９０度回転することにより、１０４の画像を得ることができる。同様に１０５のように縦にセットした場合も、右９０度回転することにより１０３の画像を、画像回転なしに１０４の画像を得ることができる。
【００４８】
一度読み取った原稿画像に対して、センター消去幅を再度、原稿を読み取ることなしに可能とするには、画像書き込み時にセンター消去の処理を行うことにより可能となる。即ち、原稿画像をメモリに保存し、保存した原稿画像を読み出して、書き込む際に、マスク処理によりセンター消去を実現する。用紙の搬送方向に対してマスクする場合は、副走査方向に対してのマスクであり、用紙搬送方向に対して垂直方向の場合は、主走査方向に対してのマスク処理となる。
【００４９】
また、稀有なケースではあるが、原稿が特殊なサイズで見開きした場合であり、短手方向に対してセンター消去する必要がある場合は、図４に示した短手方向キー４−１２を押下することにより、短手方向へのセンター消去を指示し、図１１に示すようにセンター消去することが可能となる。
【００５０】
図１１において、見開き原稿１１１を横方向へセットし、同一方向への用紙へコピーする場合は１１３のようになり、異方向用紙へコピーする場合は１１４のように画像形成される。同様に、見開き原稿１１５を縦方向へセットし、同一方向への用紙へコピーする場合は１１４のようになり、異方向用紙へコピーする場合は１１３のように画像形成する。
【００５１】
以上のように、一般的に見開きにした場合、図１０に示した１０１のような原稿サイズになるブック物が大半なため、いちいち、センター消去を行う際に、原稿方向をセットすることなく、見開きにした状態で、原稿の長手方向に対してセンター消去を行うことにより、原稿のセット方向をも意識することなく、センター消去を行うことができ、操作性を向上することができるだけでなく、生産性も向上する。
【００５２】
なお、上述した実施の形態は、本発明の好適な実施の形態の一例を示すものであり、本発明はそれに限定されることなく、その要旨を逸脱しない範囲内において、種々変形実施が可能である。
【００５３】
【発明の効果】
以上の説明から明らかなように、請求項１記載の発明によれば、原稿のサイズを検出する原稿サイズ検出手段と、原稿画像を画像信号として入力し、入力された画像信号を記憶する画像記憶手段と、前記画像記憶手段に記憶された画像信号を読み出す画像読み出し手段と、前記画像記憶手段に記憶された画像信号を読み出すときに前記画像信号を回転させる画像回転手段と、コンタクトガラス上にセットされた原稿の向きを検出する方向検出手段と、読み取り画像を変倍するための変倍率を設定する変倍率設定手段と、前記変倍率設定手段により設定された変倍率により前記画像信号を変倍する画像変倍手段と、前記画像記憶手段に記憶された画像信号のセンター部分の画像をマスク処理により消去する画像消去手段と、前記画像消去手段が消去する画像の幅を設定する消去幅設定手段と、前記画像回転手段は、前記原稿サイズ検出手段により検出した原稿サイズと、前記変倍率設定手段により設定した変倍率から計算した出力画像のサイズが、画像形成装置が有する同じサイズの用紙の向きと同じになるように、画像信号を回転させ、前記画像消去手段は、前記方向検出手段により前記原稿の長手方向が用紙搬送方向と平行になる場合は副走査方向に、用紙搬送方向に垂直となる場合は主走査方向に、それぞれ画像信号を前記設定した消去幅に応じてマスク処理をすることで、一度読み取った原稿を再度読み取ることなく、前記原稿の長手方向に対してセンター部分の画像を消去して用紙に出力することを特徴としているので、原稿の方向を考慮することなく、大半のブック原稿のセンター部分の陰を効率よく消去することができる。
【００５４】
また、一度読み取った原稿を再度、読み取ることなく、原稿画像のセンター部分の画像を消去する幅を修正することができるので、再度原稿を通紙することがなく、生産性が向上する。
【００５５】
請求項２記載の発明によれば、コンタクトガラス上の原稿画像の向きに関係なく、原稿の長手方向に対してセンター部分の画像を消去するので、原稿をコンタクトガラス上にセットする際に原稿のセット方向を気にする必要がなく、操作性が向上する。
【００５６】
請求項３記載の発明によれば、短手方向に対してセンター消去することが可能となる。請求項４、５記載の発明によれば、請求項１又は２記載の発明において、原稿画像のセンター部分の画像を消去する方向を指定する手段を有しているので、特殊な原稿のセンター部分の画像を消去することも可能となる。
【図面の簡単な説明】
【図１】本発明の実施の形態における画像形成装置を示した概略図である。
【図２】本発明の実施の形態における画像形成装置の操作部を示した概略図である。
【図３】本発明の実施の形態における液晶タッチパネル２１を示した概略図である。
【図４】図３においてセンター消去キー３１０を押下した場合の子画面ＬＣＤタッチパネルを示した図である。
【図５】本発明の実施の形態における画像形成装置の内部構成を示したブロック図である。
【図６】本実施の形態におけるＩＰＵ５２の概略構成を示したブロック図である。
【図７】図６における画像処理部６５およびＭＳＵ６６の内部構成の概略を示したブロック図である。
【図８】図７における画像メモリコントローラ７Ａと、画像メモリ８３の詳細を示したブロック図である（画像メモリへの書き込み）。
【図９】図７における画像メモリコントローラ７Ａと、画像メモリ８３の詳細を示したブロック図である（画像メモリへの読み出し）。
【図１０】本発明の一実施例を説明するための図である。
【図１１】本発明の一実施例を説明するための図である。
【符号の説明】
１−１  自動原稿送り装置（ＡＤＦ）
１−２  原稿台
１−３  給送ローラ
１−４  給送ベルト
１−５  排送ローラ
１−６  コンタクトガラス
１−７  原稿セット検知センサ
１−８  第１トレイ
１−９  第２トレイ
１−１０  第３トレイ
１−１１  第１給紙ユニット
１−１２  第２給紙ユニット
１−１３  第３給紙ユニット
１−１４  縦搬送ユニット
１−１５  感光体
１−１６  搬送ベルト
１−１７  定着ユニット
１−１８  排紙ユニット
１−１９  排紙トレイ
１−５０  読み取りユニット
１−５１  露光ランプ
１−５２  第１ミラー
１−５３  レンズ
１−５４  ＣＣＤイメージセンサ
１−５５  第２ミラー
１−５６  第３ミラー
１−５７  書き込みユニット
１−５８  レーザ出力ユニット
１−５９  結像レンズ
１−６０  ミラー
１−１１１  両面給紙ユニット
１−１１２  両面分岐爪
１−１１３  排紙口分岐爪
【図１】
0003834219.tif 000002
【図２】
0003834219.tif 000003
【図３】
0003834219.tif 000004
【図４】
0003834219.tif 000005
【図５】
0003834219.tif 000006
【図６】
0003834219.tif 000007
【図７】
0003834219.tif 000008
【図８】
0003834219.tif 000009
【図９】
0003834219.tif 000010
【図１０】
0003834219.tif 000011
【図１１】
0003834219.tif 000012